(57)【要約】【課題】パチンコ球の落下に伴う騒音を抑制することができるなど、パチンコの遊技者に対する配慮がされるパチンコ球収容ケースに使用可能な箱状ケース本体を提供する。【解決手段】上面が全面的に解放されてパチンコ球Ｐを入出可能な開口２を有する。底部が他の箱状ケース本体の開口から深く嵌まり込んで箱状ケース本体どうしが積み重ねられる嵌め込み式積層状態と、底部が他の箱状ケース本体の上面に載置されて箱状ケース本体どうしが積み重ねられる乗せ置き式積層状態とのいずれにも、左右の向きを反転させることにより選択的に行えるように、左側と右側とで形状に差異が設けられている箱状ケース本体。【選択図】図２
2006051390.tif 000002
【特許請求の範囲】
【請求項１】
上面が全面的に解放されてパチンコ球を入出可能な開口を有する箱状ケース本体において、
底部が他の箱状ケース本体の開口から深く嵌まり込んで箱状ケース本体どうしが積み重ねられる嵌め込み式積層状態と、前記底部が前記他の箱状ケース本体の上面に載置されて前記箱状ケース本体どうしが積み重ねられる乗せ置き式積層状態とのいずれにも、左右の向きを反転させることにより選択的に行えるように、左側と右側とで形状に差異が設けられていることを特徴とする箱状ケース本体。
【請求項２】
略直方体をしていて、その短辺側の壁面に凹凸が、その内側沿いに形成されているのに加えて、前記壁面の間での凹凸は山と谷が互いに逆になるように、左側と右側とで形状に差異が設けられている請求項１の箱状ケース本体。
【請求項３】
前記開口近傍にテラス状面が形成されていて、前記箱状ケース本体どうしが積み重ねられる乗せ置き式積層状態としたとき、前記テラス状面に上側の前記箱状ケース本体の底部が載置される請求項１又は２の箱状ケース本体。
【請求項４】
前記テラス状面が、左側と右側とで数が異なり、側辺の隅部および／又は中央部に形成されている請求項３の箱状ケース本体。
【請求項５】
上面が全面的に解放されてパチンコ球を入出可能な開口を有する箱状ケース本体において、
上端に、水平方向へ外側に向けて張り出した縁側状部が設けられていて、この縁側状部の前端側に堰用凸条が周方向沿いに設けられているのに加え、前記堰用凸条に当たって前記縁側状部の上に位置するパチンコ球は自転して、前記箱状ケース本体内へ転がり落ちるように、前記縁側状部の表面に傾斜が設けられていることを特徴とする箱状ケース本体。
【発明の詳細な説明】
【技術分野】
【０００１】
本発明は箱状ケース本体に関し、詳しくは、上面が全面的に解放されてパチンコ球を入出可能な開口を有する箱状ケース本体に関する。
【背景技術】
【０００２】
パチンコ店では、上面が全面的に解放されることによってパチンコ球を入出可能な開口を有する箱状のパチンコ球収容ケースが遊技客（パチンコ遊技者）のみならず店員によって使われている。
【０００３】
遊技客は、いわゆる大当たり等でパチンコ機から多量に出球されるパチンコ球を開口からパチンコ球収容ケースに入れて溜め、遊び終わるまで傍らに据え置き、遊び終わるとパチンコ球で満杯になったパチンコ球収容ケースを景品交換用カウンターへ運んだりする。同じ遊技客が何度も大当たりすると、パチンコ球がぎっしり詰まったパチンコ球収容ケースが遊技客の横に何箱も積み上げられたりする。
【０００４】
店員は、遊技客が運んできた箱状ケース本体の中に入っているパチンコ球を開口から出して数を（機械で）カウントする作業を行う他、パチンコ機の管理上の必要から多量のパチンコ球を運搬したりする場合に、パチンコ球をパチンコ球収容ケースに入れて運んだりする。
【発明の開示】
【発明が解決しようとする課題】
【０００５】
しかしながら、上記のパチンコ球収容ケースの場合、パチンコ機より出球したパチンコ球が箱状ケース本体の中に落下した時の音が大きいという問題がある。実際、パチンコ店では、パチンコ機より出球したパチンコ球が箱状ケース本体に入る際の騒音は著しいものがある。多少は騒音が大きい方が店サービスの良さ（球の出具合がよい）を遊技客に知らしめる利点もあるが、最近は大当たりの継続期間が長く、何人かの客が一斉に大当たりすると騒音が耐えきれない程ひどくなることもあり、やはり改善が望まれるところである。
【０００６】
そこで、上記従来技術の有する問題点に鑑みて、その目的は、パチンコ球の落下に伴う騒音を抑制することができるなど、パチンコの遊技者に対する配慮がされるパチンコ球収容ケースに使用可能な箱状ケース本体を提供することにある。
【０００７】
更には、パチンコ店がパチンコ球収容ケースを保管する際のスペースが少なくでき、しかも出球が多い場合には、遊技者が順調に出球している気分を十分に味わえることが可能な箱状ケース本体を提供することにも、本発明の目的がある。
【課題を解決するための手段】
【０００８】
上記課題は、各請求項記載の発明により達成される。すなわち、本発明に係る箱状ケース本体の特徴構成は、上面が全面的に解放されてパチンコ球を入出可能な開口を有していて、底部が他の箱状ケース本体の開口から深く嵌まり込んで箱状ケース本体どうしが積み重ねられる嵌め込み式積層状態と、前記底部が前記他の箱状ケース本体の上面に載置されて前記箱状ケース本体どうしが積み重ねられる乗せ置き式積層状態とのいずれにも、左右の向きを反転させることにより選択的に行えるように、左側と右側とで形状に差異が設けられていることにある。
【０００９】
この構成によれば、パチンコ球の落下に伴う騒音を抑制したい場合には、底部に軟質プラスチックシートを配置するなどすることにより、騒音を抑制することができると共に、箱状ケース本体の左右の向きを反転させるだけで、箱状ケース本体の底部が他の箱状ケース本体の開口から深く嵌まり込んで箱状ケース本体が積み重ねられる嵌め込み式積層状態と、箱状ケース本体の底部が他の箱状ケース本体の上面に乗っかって箱状ケース本体が積み重ねられる乗せ置き式積層状態とのどちらでも容易に選択的に行える。嵌め込み式積層状態は嵩が低くなるので、パチンコ店がパチンコ球収容ケースを保管する際のスペースが少なくて済む。乗せ置き式積層状態は嵩が高くなるので、遊技者が順調に出球している気分を十分に味わえる。
【００１０】
その結果、パチンコ球の落下に伴う騒音を抑制することができるなど、パチンコの遊技者に対する配慮がされるパチンコ球収容ケースに使用可能な箱状ケース本体を提供することができ、更には、パチンコ店がパチンコ球収容ケースを保管する際のスペースが少なくでき、しかも出球が多い場合には、遊技者が順調に出球している気分を十分に味わえることが可能な箱状ケース本体を提供することができる。
【００１１】
略直方体をしていて、その短辺側の壁面に凹凸が、その内側沿いに形成されているのに加えて、前記壁面の間での凹凸は山と谷が互いに逆になるように、左側と右側とで形状に差異が設けられていることが好ましい。
【００１２】
前記開口近傍にテラス状面が形成されていて、前記箱状ケース本体どうしが積み重ねられる乗せ置き式積層状態としたとき、前記テラス状面に上側の前記箱状ケース本体の底部が載置されることが好ましい。
【００１３】
前記テラス状面が、左側と右側とで数が異なり、側辺の隅部および／又は中央部に形成されていることが好ましい。
【００１４】
また、本発明に係る箱状ケース本体の特徴構成として、上面が全面的に解放されてパチンコ球を入出可能な開口を有していて、上端に、水平方向へ外側に向けて張り出した縁側状部が設けられていて、この縁側状部の前端側に堰用凸条が周方向沿いに設けられているのに加え、前記堰用凸条に当たって前記縁側状部の上に位置するパチンコ球は自転して、前記箱状ケース本体内へ転がり落ちるように、前記縁側状部の表面に傾斜が設けられていてもよい。
【００１５】
この構成によれば、パチンコ球の落下に伴う騒音を抑制することができることに加えて、パチンコ機から出球して箱状ケース本体に落下したパチンコ球が跳ねて箱状ケース本体からいったん飛び出しても、堰用凸条に当たって箱状ケース本体に戻されると共に、縁側状部の上にたまたま位置するパチンコ球があっても、縁側状部の表面に設けられている傾斜により自転して箱状ケース本体内へ自然に転がり落ちるので、パチンコ球が外にこぼれることを防ぐことができる。
【発明を実施するための最良の形態】
【００１６】
本発明に係る実施形態を、図面を参照して詳細に説明する。図１は、本実施形態に係る箱状ケース本体を用いたパチンコ球収容ケースの平面図、図２は本実施形態に係る箱状ケース本体の斜視図、図３は軟質プラスチックシートの平面図、図４は軟質プラスチックシートの正面図である。
【００１７】
図１のパチンコ球収容ケースは、図２に示すように、上面が全面的に解放されることによってパチンコ球Ｐを入れたり出したりする開口２を有する底部の中央部１ａが、楕円状に盛り上がる形で湾曲することによって上げ底になっている箱状ケース本体１と、図４に示すように、上下側の透明な軟質プラスチックシート４，５が２枚重ねされていると共に箱状ケース本体１の底部に取り外し可能に敷設・固着される軟質プラスチックシート３とを備えている。
【００１８】
本実施形態に係る箱状ケース本体１は、縦２０ｃｍ余り，横４０ｃｍ余り、深さ（高さ）２０ｃｍ余りの略直方体であって、無色あるいは有色の透明な硬質樹脂、例えばポリスチレン樹脂製の透明プラスチックケースであり、開口２の形状も略長方形である。このパチンコ球収容ケースの場合、遊技客などが箱状ケース本体１の開口２からパチンコ球を入れたり、出したりして使用する。
【００１９】
一方、軟質プラスチックシート３を構成する上下側の透明な軟質プラスチックシート４，５は、いずれもポリウレタンやポリ塩化ビニル等の柔軟性のあるプラスチックシートであり、これらの上下側軟質プラスチックシート４，５の厚みは、それぞれ０．５ｍｍ〜５ｍｍ程度である。上下側軟質プラスチックシート４，５は、図５に示すように、合わせ面が開放される形で一方の長辺側端縁のみを接合した構成とされている。軟質プラスチックシート３を箱状ケース本体１の底部へ敷設・固着する時は、２枚の透明な軟質プラスチックシート４，５の合わせ面を閉じた状態とする。
【００２０】
上側軟質プラスチックシート４の非接合部である自由端側の長辺側端縁は、内側に１８０°折り曲げられた曲げ代４Ａとなっていて、下側軟質プラスチックシート５の非接合の長辺側端縁が軟質プラスチックシート４と曲げ代４Ａとの隙間に挿入されて、軟質プラスチックシート４，５の合わせ面が閉じられた時に、曲げ代４Ａにより軟質プラスチックシート５の非接合の長辺側端縁を抱き込むようにすることで、合わせ面が不用意に開かない構成としている。もっとも、上側軟質プラスチックシート４の非接合の長辺側端縁に曲げ代４Ａを設ける構成に代えて、上下軟質プラスチックシート４，５の短辺側のみ接合して、長辺側端縁のいずれか一方又は双方を非接合としてもよい。更に、上側軟質プラスチックシート４の非接合の長辺側端縁に曲げ代４Ａを設けず、両軟質プラスチックシート４，５の２つの長辺側端縁を双方を接合し、両軟質プラスチックシート４，５の短辺側端縁の隙間から軟質プラスチックシート４，５の合わせ面が開口されるという構成としてもよい。この場合も、上下側軟質プラスチックシート４，５の合わせ面が不用意に開かれるおそれはない。
【００２１】
更に、箱状ケース本体１と軟質プラスチックシート３の間には、軟質プラスチックシート３を取り外し可能に固着する構造が設けられている。すちわち、箱状ケース本体１の中央部盛り上がり部分を構成する上げ底の２個所に係止孔６が貫通形成されており、この係止孔６と対応して、下側軟質プラスチックシート５の裏面に、係止爪７を先端に有する弾性変形可能な爪支持片８が突出して設けられている。
【００２２】
そして、箱状ケース本体１の底部に軟質プラスチックシート３を固着する際は、図６（ａ）に示すように、作業者が軟質プラスチックシート３側の係止爪７を箱状ケース本体１の側の係止孔６を当て、支持片８を指で軟質プラスチックシートの上から係止孔６へ押し込む。そうすると、図６（ｂ）に示すように、係止爪７が係止孔６の周縁に当接して爪支持片８が押されて弾性変形し、係止爪が係止孔の内側へ移動するので、係止爪７は係止孔６を挿通する。係止爪７が係止孔６を挿通すると爪支持片８を押す力が消滅するので、図６（ｃ）に示すように、係止爪７が係止孔の外側へ移動して係止爪７が係止孔６の周縁に掛かり、係止爪７と係止孔６の係合が成立する。このように、爪支持片８の弾性を利用して行われる係止爪７と係止孔６の係合成立に伴って、箱状ケース本体１の底部に軟質プラスチックシート３がワンタッチ的に固着される。
【００２３】
なお、係止孔６の設けられている上げ底の箇所では、図６（ｄ）に示すように、パチンコ球収容ケースの底部が盛り上がる形で湾曲していて、係止孔６の裏側口とパチンコ球収容ケースの据え置き面Ｆの間には空きスペースＳが形成されるので、係止孔６を通り抜けた係止爪７が据え置き面に突き当たって、係合に支障が生じるというおそれはない。また、箱状ケース本体１が上げ底になっていることにより、パチンコ球の入る量がそれほど多くなくても箱状ケース本体１の上部までパチンコ球で満たされるので、遊技客は順調に出球している気分を十分に味わえる。
【００２４】
逆に、箱状ケース本体１の底部から軟質プラスチックシート３を取り外す際は、作業者が、図７（ａ）に示すように、軟質プラスチックシート３の側の係止爪７を指で箱状ケース本体１の側の係止孔６の奥側へ押し上げるようにする。そうすると、図７（ｂ）に示すように、爪支持片８が押されて弾性変形して係止爪７が係止孔６の内側へ移動し、図７（ｃ）に示すように、係止爪７が係止孔６の周縁から外れると同時に、軟質プラスチックシート３ごと係止爪７が上側へ押し戻されて係止孔６を通り抜けるので、係止爪７と係止孔６の係合は速やかに解除される。このように、爪支持片８の弾性を利用して行われる係止爪７と係止孔６の係合解除に伴って、箱状ケース本体１の底部から軟質プラスチックシート３がワンタッチ的に離脱する。
【００２５】
つまり、軟質プラスチックシート３側の係止爪７を箱状ケース本体側の係止孔６へ当てて指で軟質プラスチックシート３の上から押し込むだけで、箱状ケース本体１の底部に軟質プラスチックシート３をワンタッチ的に固着できるのに加えて、逆に軟質プラスチックシート３側の係止爪７を箱状ケース本体１側の係止孔の奥側へ押し上げるだけで、箱状ケース本体１の底部から軟質プラスチックシート３をワンタッチ的に離脱できるのである。また、係止孔６は開口面積が広い四角形であるので、係止孔６の開口面積が狭い円形の場合に比べ、係止爪７が係止孔６を挿通し易くなると共に、取り外す際には係止爪を一方向に移動させるだけでよいので、取り外しが容易となって、係止爪７と係止孔６との係合成立・解除が円滑に行われる。もっとも、係止孔６は必ずしも四角形である必要はなく、他の角形状であってもよい。
【００２６】
このパチンコ球収容ケースを使用する場合、本実施形態に係る箱状ケース本体１の底部に軟質プラスチックシート３を敷設・固着して、箱状ケース本体１の開口２からパチンコ球を入れたり出したりする。そうすると、箱状ケース本体１の開口２からパチンコ球が落下した時の音が、軟質プラスチックシート３のクッション作用によって吸収され和らげられるので、パチンコ球の落下に伴う騒音を抑制することができる。
【００２７】
このパチンコ球収容ケースの場合、本実施形態に係る箱状ケース本体１の底部に軟質プラスチックシート３を敷設・固着する際、透明な軟質プラスチックシート４の裏側に、図８に示すように、宣伝的表記が印された宣伝用シート９を、その宣伝的表記面を表側（箱状ケース本体の開口側）に向けて配することにより、図１の中に一点鎖線で示すように、軟質プラスチックシート３の裏側に宣伝用シート９を装填する。そうすると、透明な軟質プラスチックシート４を通して宣伝用シート９の宣伝的表記を遊技客の目に入れることができる。宣伝的表記の具体的な一例として、図９に示すように、パチンコ球収容ケースを実際に使っているパチンコ店のサービス情報を知らせる宣伝文句があげられる。もとより、サービス情報の内容は、使用しているパチンコ店に関するものに限定されるものではない。
【００２８】
宣伝用シート９は、パチンコ球収容ケースの出荷段階で既に装填されていてもよい。この場合には、宣伝的表記を印した宣伝用シート９をセットする作業を行うことなく、直ちに宣伝効果を発揮させられる。もっとも、通常はパチンコ球収容ケースを購入したパチンコ店で宣伝用シート９が装填される。当該パチンコ店で宣伝用シート９を装填する場合、軟質プラスチックシート３を箱状ケース本体１の底部から離脱させた後、図５に示すように、軟質プラスチックシート４を捲って軟質プラスチックシート４，５の合わせ面を開き、軟質プラスチックシート５の表面に宣伝用シート９を宣伝的表記面を表側に向けて置いてから、軟質プラスチックシート４を被せて軟質プラスチックシート４，５の合わせ面を閉じ、再び軟質プラスチックシート３を箱状ケース本体１の底部へ固着する。宣伝用シート９を新しい宣伝的表記のものと交換する場合も、全く同様にして行える。
【００２９】
このように、このパチンコ球収容ケースの場合、軟質プラスチックシート３を取りワンタッチ的に外して宣伝用シート９を別の宣伝的表記を印したものに交換して、再び軟質プラスチックシート３をワンタッチ的に取り付けるだけで、宣伝用シート９が糊付けなどせずとも上側の軟質プラスチックシート４で強固に押さえ付けられた状態で簡単に取り付けられるので、宣伝用シート９を常に最新のものに差し替え、きめ細かな情報を遊技客にタイムリーに提供することができる。また、軟質プラスチックシート３自体が汚損・破損した場合、軟質プラスチックシート３だけを新品に交換することにより簡単に更新できる。しかも、爪支持片８が下側の軟質プラスチックシート５の裏面に配置されていて、爪支持片８が両軟質プラスチックシート４，５の合わせ面には全く現れないので、両軟質プラスチックシート４，５の合わせ面の任意の位置に宣伝用シート９をセットできる。
【００３０】
宣伝用シート９は透明であれば、軟質プラスチックシート３も箱状ケース本体１も透明であるので、パチンコ球収容ケースは、底部が透けて下が見えるものとなる。
【００３１】
このパチンコ球収容ケースでは、図１０に示すように、本実施形態に係る箱状ケース本体１の底部が他の箱状ケース本体１の開口２から深く嵌まり込んだ形で箱状ケース本体１が積み重ねられる嵌め込み式積層状態と、図１１に示すように、箱状ケース本体１の底部が他の箱状ケース本体１の上面に乗っかった形で箱状ケース本体１が積み重ねられる乗せ置き式積層状態のいずれもが、箱状ケース本体１の左右の向きを反転させることで選択的に行えるように、箱状ケース本体１の左側と右側とで形状に差異が設けられている。
【００３２】
すなわち、図１、図２に示すように、箱状ケース本体１の短辺側の壁面１Ａ、１Ｂに波型の凹凸が、その内側沿いに形成されているのに加えて、壁面１Ａ、１Ｂの間で波型の凹凸は山と谷が互いに逆になるように、左側と右側とで形状に差異が設けられている。その結果、箱状ケース本体１を短辺側の壁面１Ａが他の箱状ケース本体１の短辺側の壁面１Ａに向かい合い、短辺側の壁面１Ｂが他の箱状ケース本体１の短辺側の壁面１Ｂに向かい合うように積み重ねた時は、箱状ケース本体１の底部が他の箱状ケース本体１に深く嵌まり込んで嵌め込み式積層状態となる。逆に、箱状ケース本体１の左右を反転させて、箱状ケース本体１を短辺側の壁面１Ａが他の箱状ケース本体１の短辺側の壁面１Ｂに向かい合い、短辺側の壁面１Ｂが他の箱状ケース本体１の短辺側の壁面１Ａに向かい合うように積み重ねた時は、箱状ケース本体１の底張出部１Ｄが他の箱状ケース本体１のテラス状面１Ｃ上に載置されて乗せ置き式積層状態となる。
【００３３】
この場合、箱状ケース本体１の１つの角に印されている＄状マーク１０を合わせて積み重ねると嵌め込み式積層状態となり、＄状マーク１０を合わせずに積み重ねれば乗せ置き式積層状態となる。すなわち、＄状マーク１０は、嵌め込み式積層状態と乗せ置き式積層状態を選択するときの目印になる。
【００３４】
したがって、このパチンコ球収容ケースでは、パチンコ店がパチンコ球収容ケースを保管したり搬送したりする場合には、嵩が低くなる嵌め込み式積層状態でパチンコ球収容ケースを積み重ねて保管スペースや搬送スペースを少なくすることができる。また、遊技者はパチンコ球が一杯入ったパチンコ球収容ケースを傍に置く場合には、嵩が高くなる乗せ置き式積層状態でパチンコ球収容ケースを積み重ねて、遊技者が順調に出球している気分を十分に味わうことができる。
【００３５】
さらに、このパチンコ球収容ケースでは、図１、図２に示すように、箱状ケース本体１の長辺側の上端に水平方向へ外側に向けて張り出した縁側状部１１が設けられていて、この縁側状部１１の前端側に堰用凸条１２が箱状ケース本体１の周方向に沿って、途中に途切れ部分のある状態で設けられているのに加え、堰用凸条１２に当たって縁側状部１１の上に位置するパチンコ球が自転して、矢印ＲＡに従い箱状ケース本体へ転がり落ちるように、縁側状部１１の表面に傾斜が設けられている。この場合、パチンコ機から出球して箱状ケース本体１に落下したパチンコ球が跳ねて、箱状ケース本体１から一旦飛び出しても、堰用凸条１２に当たって箱状ケース本体１に戻されると共に、縁側状部１１の上にたまたま位置するパチンコ球があっても、縁側状部１１の表面に設けられている傾斜により自転して、矢印ＲＡに従い箱状ケース本体１へ自然に転がり落ちるので、パチンコ球が外に落下することを防ぐことができる。
【００３６】
なお、箱状ケース本体１の底部は楕円状に底上げされていて、パチンコ球の入る量がそれほど多くなくても、箱状ケース本体１がパチンコ球で一杯となるので、遊技客が順調に出球している気分を十分に味わうことができる。
【００３７】
箱状ケース本体１の底部には、電気アース用の貫通孔１３，１３が開けられていて、貫通孔１３に嵌まり込んだパチンコ球が下部の積層された箱状ケース本体１のパチンコ球あるいは床と接触することにより、電気アースがとれる構成とされている。もとより、軟質プラスチックシート３にも貫通孔１３と対応する位置にアース用の貫通孔１４が開けられていて、軟質プラスチックシート３が電気アースの妨げとならないように構成されている。
【００３８】
さらに、箱状ケース本体１の短辺側の上端には、水平方向へ外側に向けて張り出した把手部１５が設けられているのに加え、把手部１５の前端側中心部部分が幾分盛り上がって指掛け部１６となっており、パチンコ球で満たされた重い箱状ケース本体１を遊技客が指掛け部１６に指を掛けて、安定して把持できる構成とされている。
【図面の簡単な説明】
【００３９】
【図１】本発明の一実施形態に係る箱状ケース本体を用いたパチンコ球収容ケースの平面図
【図２】本発明の一実施形態に係る箱状ケース本体の斜視図
【図３】軟質プラスチックシートの平面図
【図４】軟質プラスチックシートの正面図
【図５】軟質プラスチックシートの合わせ面を開いた状態を示す平面図
【図６】軟質プラスチックシートを箱状ケース本体の底部に固着する時の取り付け手順を示す図であり、（ａ）は取り付け開始時の状態を示し、（ｂ）は取り付け途中の状態を示し、（ｃ）および（ｄ）は取り付け完了時の状態を示す。
【図７】軟質プラスチックシートを箱状ケース本体から離脱させる時の取り外し手順を示す図であり、（ａ）は取り外し開始時の状態を示し、（ｂ）は取り外し途中の状態を示し、（ｃ）は取り外し完了時の状態を示す。
【図８】本実施形態の箱状ケース本体を用いたパチンコ球収容ケースに装填される宣伝用シートの例を示す平面図
【図９】具体的な宣伝的表記例を印した宣伝用シートを示す平面図
【図１０】本実施形態の箱状ケース本体の嵌め込み式積層状態を示す模式図
【図１１】本実施形態の箱状ケース本体の載せ置き式積層状態を示す模式図
【符号の説明】
【００４０】
１          箱状ケース本体
１Ａ，１Ｂ  短辺側の壁面
１Ｃ        テラス状面
２          開口
１１        縁側状部
１２        堰用凸条
Ｐ          パチンコ球
【図１】
2006051390.tif 000003
【図２】
2006051390.tif 000004
【図３】
2006051390.tif 000005
【図４】
2006051390.tif 000006
【図５】
2006051390.tif 000007
【図６】
2006051390.tif 000008
【図７】
2006051390.tif 000009
【図８】
2006051390.tif 000010
【図９】
2006051390.tif 000011
【図１０】
2006051390.tif 000012
【図１１】
2006051390.tif 000013